(57)【要約】【課題】  省電力化、及び処理内容に応じたシステムクロック周波数に切り換えることができ、さらに誤動作やノイズを防ぐことを可能とする。【解決手段】  ＣＰＵ５は、クロック信号生成回路５１を備え、クロック信号生成回路５１には、基本クロック発生器５２が接続されている。システムクロック信号生成回路５１は、基本クロック発生器５２で生成された基本クロック信号の周波数をｘ倍、１／ｘ倍に変換し、ＣＰＵ５のシステムクロック周波数を複数段階に切り換えることができる。ＣＰＵ５では、撮影機構４を制御する各動作モード、及び電源電流に合わせてシステムクロック周波数を切り換えて各種処理を行うことができる。撮影機構４の処理内容を切り換えたとき、周波数速度を段階的に増加または減少させてシステムクロック周波数を可変させる。【選択図】        図２
2006197322.tif 000002
【特許請求の範囲】
【請求項１】
クロック周波数を複数段階に切り換えてシステムクロック信号を生成するシステムクロック信号生成手段と、このシステムクロック信号生成手段で生成される前記システムクロック信号に基づいて駆動される制御手段と、この制御手段によって制御される撮影機構と、この撮影機構に電源を供給するための電源電池とを備え、前記撮影機構が動作する際の処理内容に応じて前記クロック周波数を切り換える電子カメラにおいて、
前記撮影機構の処理内容が切り換えられ、これに応じて前記システムクロック信号が第１のクロック周波数から第２のクロック周波数に切り換えられるときに、周波数速度を段階的に増加または減少させて第１のクロック周波数から第２のクロック周波数へと可変させていき、且つ第１のクロック周波数から第２のクロック周波数に切り換えられるまでの間に前記周波数速度が一段階切り換わる際の各切換周期を、前記電源電池から供給される電流の大きさに比例させていることを特徴とする電子カメラ。
【請求項２】
クロック周波数を複数段階に切り換えてシステムクロック信号を生成するシステムクロック信号生成手段と、このシステムクロック信号生成手段で生成される前記システムクロック信号に基づいて駆動される制御手段と、この制御手段によって制御される撮影機構と、この撮影機構に電源を供給するための電源電池とを備え、前記撮影機構が動作する際の処理内容に応じて前記クロック周波数を切り換える電子カメラにおいて、
前記撮影機構の処理内容が切り換えられ、これに応じて前記システムクロック信号が第１のクロック周波数から第２のクロック周波数に切り換えられるときに、このクロック周波数切り換えの直前または直後に、周波数速度に応じて前記撮影機構に供給される電源電圧を可変させるように制御するとともに、前記周波数切り換えのときには、周波数速度を段階的に増加または減少させて第１のクロック周波数から第２のクロック周波数へと可変させていき、且つ第１のクロック周波数から第２のクロック周波数に切り換えられるまでの間に前記周波数速度が一段階切り換わる際の各切換周期を、前記電源電池から供給される電流の大きさに比例させていることを特徴とする電子カメラ。
【請求項３】
前記撮影機構は、ＣＣＤと、このＣＣＤから画像信号の転送を行わせるためにタイミング信号を送信するタイミング信号生成手段とからなり、前記切換周期は、前記画像信号を前記ＣＣＤから垂直方向に出力転送するための垂直駆動信号を送るときの垂直転送周期の整数倍であることを特徴とする請求項１または２に記載の電子カメラ。
【請求項４】
前記撮影機構は、ＣＣＤと、このＣＣＤから画像信号の転送を行わせるためのタイミング信号を送信するタイミング信号生成手段とからなり、前記切換周期は、前記画像信号を前記ＣＣＤから水平方向に出力転送するための水平駆動信号を送るときの水平転送周期の整数倍であることを特徴とする請求項１または２に記載の電子カメラ。
【発明の詳細な説明】
【技術分野】
【０００１】
本発明は、システムクロックの周波数速度が切り換え可能な電子カメラに関するものである。
【背景技術】
【０００２】
デジタルカメラでは、撮影モードやモードなどの複数の動作モードが設定されており、これらの各動作モードにおける処理内容の切り換えに応じて、システムクロックの周波数速度も切り換えるようにしていることが一般的である（例えば特許文献１）。これによって、高速な処理速度が必要とされる撮影動作のときなどには周波数を上げたり、遅い処理速度でも十分な画像再生のときなどには周波数速度を下げたりして、無駄な電力消費を防ぐようにしている。
【０００３】
また、特許文献２記載の情報処理装置では、電源の電圧降下量を検知しており、この電圧降下量に応じてシステムクロックの周波数を下げることによって消費電流を小さくして電池の寿命を延ばそうとしている。
【特許文献１】特開２００３−６０９６４号
【特許文献２】公報特開平５−１４３１８６号公報
【発明の開示】
【発明が解決しようとする課題】
【０００４】
しかしながら、上記特許文献１に記載されているようなデジタルカメラで、例えば撮影動作（高速な処理内容）から画像再生（低速で十分な処理内容）への切り換えに応じてシステムクロック周波数が切り換えられると、両者の消費電力の差が大きいので、所定の値に切り替えられるまでにオーバーシュートやアンダーシュートが発生して誤動作や画像ノイズが発生してしまうことがある。また、上記特許文献２では、既に電圧降下量に応じてシステムクロック周波数が低下してしまっている場合、高速な処理を行うことができなくなってしまう。
【０００５】
本発明は、上記事情を考慮してなされたもので、省電力を図ることが可能であり、且つ処理内容に応じた処理速度にシステムクロック信号を切り換えることを可能としつつ、オーバーシュートやアンダーシュートに起因する誤動作やノイズを防ぐことのできる電子カメラを提供することを目的とする。
【課題を解決するための手段】
【０００６】
本発明の電子カメラは、クロック周波数を複数段階に切り換えてシステムクロック信号を生成するシステムクロック信号生成手段と、このシステムクロック信号生成手段で生成される前記システムクロック信号に基づいて駆動される制御手段と、この制御手段によって制御される撮影機構と、この撮影機構に電源を供給するための電源電池とを備え、前記撮影機構が動作する際の処理内容に応じて前記クロック周波数を切り換える電子カメラにおいて、前記撮影機構の処理内容が切り換えられ、これに応じて前記システムクロック信号が第１のクロック周波数から第２のクロック周波数に切り換えられるときに、周波数速度を段階的に増加または減少させて第１のクロック周波数から第２のクロック周波数へと可変させていき、且つ第１のクロック周波数から第２のクロック周波数に切り換えられるまでの間に前記周波数速度が一段階切り換わる際の各切換周期を、前記電源電池から供給される電流の大きさに比例させていることを特徴とする。
【０００７】
また、本発明の電子カメラは、前記撮影機構の処理内容が切り換えられ、これに応じて前記システムクロック信号が第１のクロック周波数から第２のクロック周波数に切り換えられるときに、このクロック周波数切り換えの直前または直後に、周波数速度に応じて前記撮影機構に供給される電源電圧を可変させるように制御するとともに、前記周波数切り換えのときには、周波数速度を段階的に増加または減少させて第１のクロック周波数から第２のクロック周波数へと可変させていき、且つ第１のクロック周波数から第２のクロック周波数に切り換えられるまでの間に前記周波数速度が一段階切り換わる際の各切換周期を、前記電源電池から供給される電流の大きさに比例させていることを特徴とする。
【０００８】
なお、前記撮影機構は、ＣＣＤと、このＣＣＤから画像信号の転送を行わせるためにタイミング信号を送信するタイミング信号生成手段とからなり、前記切換周期は、前記画像信号を前記ＣＣＤから垂直方向に出力転送するための垂直駆動信号を送るときの垂直転送周期の整数倍であることが好ましい。あるいは、前記切換周期は、前記画像信号を前記ＣＣＤから水平方向に出力転送するための水平駆動信号を送るときの水平転送周期の整数倍であることも効果的である。
【発明の効果】
【０００９】
本発明の電子カメラは、撮影機構の処理内容が切り換えられ、これに応じてシステムクロック信号が第１のクロック周波数から第２のクロック周波数に切り換えられるときに、周波数速度を段階的に増加または減少させて第１のクロック周波数から第２のクロック周波数へと可変させていき、且つ第１のクロック周波数から第２のクロック周波数に切り換えられるまでの間に周波数速度が一段階切り換わる際の各切換周期を、電源電池から供給される電流の大きさに比例させているので、省電力を図ることができ、且つ処理内容に応じた処理速度にシステムクロック信号を切り換えることを可能としつつ、画像のノイズや誤動作を防ぐことができる。
【００１０】
また、本発明の電子カメラは、撮影機構の処理内容が切り換えられ、これに応じて前記システムクロック信号が第１のクロック周波数から第２のクロック周波数に切り換えられるときに、このクロック周波数切り換えの直前または直後に、周波数速度に応じて撮影機構に供給される電源電圧を可変させるように制御するとともに、周波数切り換えのときには、周波数速度を段階的に増加または減少させて第１のクロック周波数から第２のクロック周波数へと可変させていき、且つ第１のクロック周波数から第２のクロック周波数に切り換えられるまでの間に周波数速度が一段階切り換わる際の各切換周期を、電源電池から供給される電流の大きさに比例させているので、より確実に省電力を図ることが可能でき、且つ処理内容に応じた処理速度にシステムクロック信号を切り換えることを可能としつつ、ノイズや誤動作を確実にを防ぐことができる。
【発明を実施するための最良の形態】
【００１１】
本発明を実施したデジタルカメラの電気的構成を図１のブロック図に示す。デジタルカメラ２は、電源装置３、撮影機構４、ＣＰＵ５、操作部６、ＥＥＰＲＯＭ７を備えている。ＣＰＵ５はバス８を介して各部に接続され、デジタルカメラ２の動作を統括的に制御する
【００１２】
撮影機構４は、撮影レンズ２０、ＣＣＤ２１、ＣＤＳ２２、増幅器（ＡＭＰ）２３、Ａ／Ｄ変換器（Ａ／Ｄ）２４、画像処理回路２５、ＳＤＲＡＭ２６、ＬＣＤドライバ２７、ＬＣＤ２８、ＹＣ処理回路２９、圧縮伸長処理回路３０、カードＩ／Ｆ３１、通信Ｉ／Ｆ３３、タイミングジェネレータ３５、測光・測距回路４０、ストロボ機構４１、ストロボ制御回路４２からなる。
【００１３】
撮影レンズ２０の背後にはＣＣＤ２１が配置されており、撮影レンズ２０から入射した被写体光がＣＣＤ２１によって受光される。このＣＣＤ２１は、タイミングジェネレータ（タイミング信号生成手段）３５を介して、ＣＰＵ５に接続されている。タイミングジェネレータ３５は、ＣＣＤ２１を駆動する信号（タイミング信号）を送信する。
【００１４】
ＣＣＤ２１は、２次元マトリックス状に配列された感光部と、この感光部から垂直に信号電荷を転送する垂直転送路と、この垂直転送路に対して垂直に接続されている水平転送路とから構成され、タイミングジェネレータ３５から垂直駆動信号Ｖ、水平駆動信号Ｈが供給される。垂直転送路は、垂直駆動信号Ｖが供給されたときに駆動し、感光部に入力された撮像信号を垂直方向に転送し、水平転送路へ出力する。水平転送路は、水平駆動信号Ｈが供給されたときに駆動し、垂直転送路から転送された撮像信号を水平転送し、ＣＤＳ２２へ出力する。
【００１５】
ＣＤＳ２２は、ＣＣＤ２１から入力された撮像信号を、ＣＣＤ２１の各セルの蓄積電荷量に対応したＲ、Ｇ、Ｂの画像データとして出力する。ＣＤＳ２２から出力された画像データは、ＡＭＰ２３で増幅される。Ａ／Ｄ２４は、ＡＭＰ２３で増幅された画像データをデジタルの画像データに変換する。Ａ／Ｄ２４から出力されたデジタルの画像データは、画像信号処理回路２５に送信される。画像信号処理回路２５は、階調変換、ホワイトバランス補正、γ補正処理などの各種画像処理を画像データに施す。画像信号処理回路２５で各種画像処理を施された画像データは、ＳＤＲＡＭ２６に一旦格納される。このＳＤＲＡＭ２６に格納された画像データは、ＬＣＤドライバ２７によりコンポジット信号に変換され、ＬＣＤ２８に表示される。
【００１６】
ＹＣ処理回路２９は、画像信号処理回路２５で各種画像処理を施された画像データをＳＤＲＡＭ２６から読み出して、輝度信号Ｙと色差信号Ｃｒ、Ｃｂとに変換する。圧縮伸長処理回路３０は、この変換された画像データに対して、所定の圧縮形式（例えばＪＰＥＧ形式）で画像圧縮を施す。
【００１７】
圧縮伸長処理回路３０により圧縮された画像データは、カードＩ／Ｆ３１を介してメモリカード３２に記録される。メモリカード３２に記録された画像データは、通信Ｉ／Ｆ３３およびＵＳＢ（Universal Serial Bus）コネクタ３４を経由して、パーソナルコンピュータなどの外部機器に送信される。
【００１８】
操作部６は、レリーズボタン３６、ズーム操作ボタン３７、メニューボタン３８、十字キー３９などからなる。レリーズボタン３６は、２段階押しのスイッチとなっている。ＬＣＤ２８によるフレーミングの後に、レリーズボタン３６を軽く押圧（半押し）すると、自動露光調整（ＡＥ）、自動焦点調整（ＡＦ）などの各種撮影準備処理が施される。この状態でレリーズボタン３６をもう１度強く押圧（全押し）すると、撮影準備処理が施された１画面分の撮像信号が画像データに変換された後、画像信号処理回路２５および圧縮伸長処理回路３０による画像処理および圧縮処理が施され、メモリカード３２に記録される。
【００１９】
ズーム操作ボタン３７は、撮像レンズ２０のズーム倍率をワイド側、テレ側に変倍操作するためのものであり、メニューボタン３８は、ＬＣＤ２８にメニュー画面を表示させたり、選択内容を決定・キャンセルする操作を行い、十字キー３９は、ＬＣＤ２８に表示されるメニュー画面内でカーソルを移動させる操作を行う。
【００２０】
ＥＥＰＲＯＭ７には、各種制御用のプログラムや設定情報などが記録されている。ＣＰＵ５は、これらの情報をＥＥＰＲＯＭ７から作業用メモリであるＳＤＲＡＭ２６に読み出して、各種処理を実行する。
【００２１】
測光・測距回路４０は、被写体の輝度、および被写体と撮像レンズ２０との距離を検出し、ＣＰＵ５に検出結果を送信する。ＣＰＵ５は、この検出結果に基づいて、適正な焦点距離および露光量となるように撮像レンズ２０の各種パラメータを調整する。また、この測光・測距回路４０は、ＣＰＵ５からフィードバックされる調整信号を元に、撮像レンズ２０、およびストロボ機構４１を制御するストロボ制御回路４２を駆動させる。
【００２２】
ＣＰＵ５は、詳しくは図２に示すように、クロック信号生成回路５１を備えており、このクロック信号生成回路５１には、基本クロック発生器５２が接続されている。基本クロック発生器５２は、水晶発振器を含む回路などからなり、基本クロック信号のパルスを発生する。システムクロック信号生成回路５１は、演算処理装置としてのＣＰＵ５を駆動させるべくシステムクロック信号を生成する回路であり、基本クロック発生器５２で生成された基本クロック信号の周波数をｘ倍に変換する逓倍器、及び１／ｘ倍に変換する分周器を複数備えている。これによって、ＣＰＵ５はシステムクロック周波数を複数段階に切り換えることができるので、撮影機構４を制御する各動作モード、及び電源電流に合わせてシステムクロック周波数を切り換えて各種処理を行うことができる。なお、表１は、本実施形態で設定されているシステムクロック周波数と、このシステムクロック周波数で駆動されているときのＣＰＵ５の消費電流の値である。
【００２３】
【表１】
2006197322.tif 000003
【００２４】
さらに、ＣＰＵ５には、電流検出回路５３が接続されている。電流検出回路５３は、電源電圧５５、及び電源電圧５５と直列に接続された抵抗負荷５４の間から分岐して接続されており、電源電圧５５に流れる電流を検出し、ＣＰＵ５に出力する。
【００２５】
以下では、図３〜５のタイミングチャートを用いて、デジタルカメラ２の各種処理及び電源電流に応じてシステムクロック周波数を切り換えるタイミングについて説明する。なお、図３〜５では、上方にはシステムクロック周波数、下方にはＣＣＤ２１のクロック周波数を示している。図３（Ａ）は、電源起動から撮影準備までのタイミングチャートであり、先ず電源オフ状態から電源スイッチをオン位置に操作すると、電源オン処理が開始される。電源オン処理では、システムクロック周波数が０から２４，４８，９６ＭＨｚと徐々に高くなり処理速度が上昇していく。なお、このとき、システムクロック周波数が上昇していくときのステップｔｓは所定の周期ｖのｎ倍（ｎは整数）である。本実施形態では、上述した垂直駆動信号ＶがＣＣＤ２１に送信される垂直転送周期をｖ（１ｖ＝６０Ｈｚ（約１６．６７ミリ秒）としており、すなわち、ステップｔｓは垂直転送周期ｖのｎ倍（ｎは整数）としている。また、電源オン処理の途中でＣＣＤ２１も起動し、以後撮影準備中はＣＣＤ２１のクロック周波数が１２ＭＨｚで駆動される。ｎは電源電池５５の電流値に応じて可変するものであり、ＣＰＵ５は、電流検出回路５３から検出される電源電池５５の電流値に比例してｎが大きくなるようにステップｔｓを制御している。
【００２６】
そして、電源が起動すると、その次はＬＣＤ２８がオン状態となり、スルー画が表示され、ビューファインダとして使用される。このときシステムクロック周波数は４８ＭＨｚに低下する。そして、撮影者はＬＣＤ２８を見ながらフレーミングを行い、画面に対する被写体の大きさを変えたいときなど必要に応じてズーム操作ボタン３７を操作し、光学ズーム処理を行う。この光学ズーム処理を行うときは、システムクロック周波数が再び９６ＭＨｚに上昇する。その後、スルー表示や電子ズーム処理を行ってフレーミングを継続するときには、システムクロック周波数は４８ＭＨｚに低下する。
【００２７】
次に撮影処理を行うときのシーケンスを図３（Ｂ）のタイミングチャートに沿って説明する。撮影処理のときには、自動露出及び焦点調節を行うが、必要に応じてメニューボタン３８を操作し、自動露出及び焦点調節の設定を行うためのメニュー画面をＬＣＤ２８に表示する。このメニュー画面の表示のときには、システムクロック周波数は４８ＭＨｚから９６ＭＨｚに上昇する。設定が終了すると再びスルー表示に戻り、撮影者は先ずレリーズボタン３６を半押し（Ｓ１オン）、すなわち、２段押しボタンの１段目まで押し込むと、自動露出及び焦点調節処理が開始され、システムクロック周波数は９６ＭＨｚに上昇する。そして自動露出及び焦点調節が行われた状態でレリーズボタン３６を半押し位置で保持するとＳ１ロック状態となり、露出値及び焦点位置が固定される。このＳ１ロック状態のときには、システムクロック周波数はまた４８ＭＨｚに低下する。
【００２８】
そして、フレーミング、露出値及び焦点位置が全て撮影者の所望の状態になると、撮影者はレリーズボタン３６を全押し（Ｓ２オン）し、すなわち、２段目まで押し込んで撮像が行われる。このとき、システムクロック周波数は９６ＭＨｚに再び上昇するとともに、ＣＣＤ２１のクロック周波数も１２ＭＨｚから２４ＭＨｚに上昇する。そして、高速な処理速度でＣＣＤ２１に受光された信号電荷を転送して画像データとし、ＹＣ処理、圧縮、メモリカードへの記録処理が行われ、一回の撮像が終了する。なお、ＣＣＤ２１のクロック周波数は、ＹＣ処理、圧縮及び記録のときは１２ＭＨｚに再び低下している。
【００２９】
次に、１回目の撮影後、２回目以降の撮影を行うときのシーケンスを図４に示すタイミングチャートに沿って説明する。ストロボ撮影時に２回目以降の撮影を継続するときには、消費電力の高い２つの処理を同時に行うことを避けて電源装置３の負担を減少させるために、ＬＣＤ２８によるスルー表示を一旦オフ状態にしてからストロボ機構４１の充電を行う。ＬＣＤ２８のオフ処理を行うときには、システムクロック周波数を９６から４８，２４ＭＨｚと徐々に下げていく。なお、このときシステムクロック周波数を切り替えるステップｔｓは、上述の電源起動の際と同様に、垂直転送周期ｖのｎ倍（ｎは整数）である。また、ｎも同様に、電源電池５５の電流値に比例して大きくなるよう制御している。そして、ストロボ機構４１の充電が完了すると、再度ＬＣＤ２８をオン状態としてスルー表示を行ない、２回目以降の撮影準備を開始する。このＬＣＤ２８を再度オン状態にするときには、システムクロック周波数を２４から４８，９６ＭＨｚと徐々に上昇させていく。そして、このときのシステムクロック周波数を切り替えるステップｔｓも垂直転送周期ｖのｎ倍（ｎは整数）である。また、ストロボ充電中はＣＣＤ２１をオフ状態（クロック周波数を０ＭＨｚ）とし、ＬＣＤ２８のオン状態と同時にＣＣＤ２１もオン状態（クロック周波数を１２ＭＨｚ）とする。その後、スルー表示中はシステムクロック周波数を４８ＭＨｚに低下させる。以降は、１回目と同様のシーケンスでＳ１オン、Ｓ２オン、撮像、ＹＣ処理、圧縮及び記録の各処理を行う。なお、このときのシステムクロック周波数、ＣＣＤクロック周波数のタイミングチャートも一回目と同様である。
【００３０】
また、図５では動画記録をおこなうときのタイミングチャートを示す。動画記録では、Ｓ１オン、Ｓ２オン、撮像、ＹＣ処理、圧縮及び記録、スルー表示の復帰、スルー画、電源オフまでの全ての処理でシステムクロック周波数が９６ＭＨｚで行われ、ＣＣＤクロック周波数では、ＹＣ処理、スルー表示の復帰、スルー画の処理では１２ＭＨｚ、電源オフ処理のときは０ＭＨｚでそれ以外は２４ＭＨｚで処理を行う。
【００３１】
なお、以上で例に上げた図３〜５のタイミングチャートでは、０，２４，４８，９６ＭＨｚのシステムクロック周波数を使用しているが本発明はこれに限るものではなく、特にシステムクロック周波数を段階的に可変させるときには、さらに細かな段階で可変するように、周波数の設定数をさらに多くしてもよい。
【００３２】
本実施形態のデジタルカメラ２においては、各種処理を行うときに、ＣＰＵ５のシステムクロック周波数を可変させて処理速度を切り換えるとともに、電源装置３による出力電圧Ｖｏｕｔの値を切り換えて撮影機構４に供給する電圧を切り換える。この電源装置３は、詳しくは図２に示すような構成となっており、電源電池５５と、ＤＣ／ＤＣコンバータ５６とからなる。なお、ＤＣ／ＤＣコンバータ５６には、後述する三角波発生回路５７が組み込まれている。ＤＣ／ＤＣコンバータ５６は、周知の昇圧型ＤＣ／ＤＣコンバータで、電源電池５５から得られる低い入力電圧Ｖｉｎを昇圧して高い出力電圧Ｖｏｕｔに変換するものであり、三角波発生回路５７で発生する三角波の周波数の切り換えに応じて出力電圧Ｖｏｕｔの値を切り換える。三角波発生回路５７は、ＣＰＵ５に接続されており、ＣＰＵ５から送信される周波数制御信号に応じてＤＣ／ＤＣコンバータ５６で発生される三角波の周波数が切り換えられる。
【００３３】
ＤＣ／ＤＣコンバータ５６としては、例えば図６に示すように、コイルＬ、スイッチング素子Ｔｒ、ダイオードＤ、コンデンサＣ、及び電圧制御部５８からなる。この図６に示すＤＣ／ＤＣコンバータはチョッパー型と呼ばれ、入力電圧（電源電池５５から直接供給される電圧）ＶｉｎとコイルＬを直列に付加する構成としている。このＤＣ／ＤＣコンバータ５６では、先ず電圧制御部５８からパルス信号が送られるとスイッチング素子Ｔｒがオン状態となり、コイルＬに充電電流Ｉｏｎが流れてコイルＬにエネルギーが蓄積される。そして、電圧制御部５８からのパルス信号が停止されると、スイッチング素子Ｔｒがオフ状態となってコイルＬに蓄積されたエネルギーから起電力が発生し、放電電流Ｉｏｆｆが流れて出力電圧Ｖｏｕｔを上昇させる。これによって、電源装置３は、電源電池５５の定格Ｖｉｎよりも高い出力電圧Ｖｏｕｔを撮影機構４の各部に供給することができる。
【００３４】
本実施形態では、ＤＣ／ＤＣコンバータ５６で昇圧される出力電圧Ｖｏｕｔの値を可変するために、電圧制御部５８によってスイッチング素子Ｔｒのオン／オフ状態を切り換えるパルス信号を制御する。電圧制御部５８の制御方式としては例えば、周知のＰＷＭ（パルス幅数変調）制御が用いられる。このＰＷＭ制御の場合、スイッチング素子Ｔｒのオン／オフ状態の周期ｔｃを一定とし、スイッチング素子Ｔｒのオン状態の時間Ｔｏｎを制御（オン時間Ｔｏｎに連動してオフ状態の時間Ｔｏｆｆも変動）することによってコイルＬに蓄積させるエネルギーを調節し、昇圧される出力電圧Ｖｏｕｔの値を可変することができる。すなわち、このＰＷＭ制御の場合、スイッチング素子Ｔｒのオン時間Ｔｏｎを長くする（連動してオフ時間Ｔｏｆｆが短くなる）と、コイルＬへのエネルギーの蓄積時間が増加するから、ＤＣ／ＤＣコンバータ５６による出力電圧Ｖｏｕｔが上昇する。そして、このＰＷＭ制御でオン時間Ｔｏｎを短くすると、出力電圧Ｖｏｕｔが低下する。
【００３５】
本実施形態の場合、このＰＷＭ制御方式の電圧制御部５８は、三角波発生回路５７、誤差増幅器６１、基準電源６２、調整抵抗６３，６４、ＰＷＭ（パルス幅変調）制御回路６５、バッファ回路６６からなる。三角波発生回路５７は、ＣＰＵ５のシステムクロック周波数に応じた値、もしくはシステムクロック周波数そのままの三角波をＰＷＭ制御回路６５に送信する。誤差増幅器６１は、出力電圧Ｖｏｕｔから分岐した分割電圧Ｖ１と、基準電源６２の基準電圧Ｖｓとの差分を増幅して出力する。ＰＷＭ制御回路６５は、誤差増幅器６１で増幅された差分電圧、及び三角波発生回路５７から送られた三角波に基づいて、この三角波の周波数に応じたパルス幅で、且つ周期ｔｃが一定のパルス信号を生成する。バッファ回路６６は、このＰＷＭ制御回路６５で生成されたパルス信号を一次的に蓄積させた後、スイッチング素子Ｔｒへパルス信号を供給する。
【００３６】
このようにして、電圧制御部５８は、ＣＰＵ５のシステムクロック周波数に応じたパルス信号をスイッチング素子Ｔｒに供給しているので、スイッチング素子ＴｒはＣＰＵ５のシステムクロック周波数が増加すれば、オン時間Ｔｏｎが増加して出力電圧Ｖｏｕｔが上昇し、システムクロック周波数が低下すれば、オフ時間Ｔｏｆｆが低下して出力電圧Ｖｏｕｔが下降する。このような制御をすることによって、システムクロック周波数が大きく高速な処理速度のときは、出力電圧Ｖｏｕｔの値も大きくなり、システムクロック周波数が小さく、低速な処理速度のときには、出力電圧Ｖｏｕｔの値を小さくすることができる。これによって、デジタルカメラ２は無駄な電力消費を防いで省電力化を図ることが可能となる。
【００３７】
上記構成の作用について説明する。上述したように、撮影時の各処理の動作モードを切り換えるとき、これに合わせてシステムクロック周波数を切り換えており、特に電源オン処理や撮影後のストロボ充電処理のときなど、各動作モード間のシステムクロック周波数の差が大きいときには、周波数速度を段階的（２４，４８，９６…、または９６，４８，２４ＭＨｚ）に可変させており、且つこの周波数速度が一段階切り換えられるときのステップ（切り換え周期）ｔｓを、電源電池５５の電流の大きさに比例させている。このシステムクロック周波数の段階的な切り換えに応じて出力電圧Ｖｏｕｔの切り換えが行われている状態の一例を、図７のグラフに示している。なお、上述したように、ＣＰＵ５は、システムクロック周波数の切り換えに応じて消費電流も切り換えられるので、この消費電流Ｉｃのグラフも合わせて図７に示している。そして、出力電圧Ｖｏｕｔのグラフに示すように、システムクロックの周波数速度の切り換え前後において、消費電流差に起因するオーバーシュート／アンダーシュートが発生することがなく、誤動作や画像ノイズを防ぐことができる。もし、システムクロック周波数を段階的に切り換えるのではなく、例えば２４→９６ＭＨｚへと急激に切り換えるような制御をした場合（すなわち、従来のデジタルカメラにおけるシステムクロックの制御の場合）の出力電圧Ｖｏｕｔ２及び消費電流Ｉｃ２の例を図８に示す。このように従来の構成では周波数速度の切り換え前後でオーバーシュート／アンダーシュートが発生しているが、本実施形態ではそのようなことがない。さらに、本実施形態では、周波数速度の切り換え周期ｔｓは、上述したように垂直転送周期ｖのｎ倍（ｎは整数）に設定されているので、システムクロック周波数の切り換え時と、ＣＣＤ２１の垂直駆動信号Ｖの送信時とが同期することになる。よって、垂直駆動信号Ｖが送信されるときには、システムクロック周波数の切り換え前後における消費電力差の影響を受けることがないので、ノイズの混入を避けることができる。なお、本実施形態はこれに限らず、例えば、システムクロック周波数の切り換え周期ｔｓを、垂直転送周期ｖではなく、水平転送周期（水平駆動信号Ｈが送信される周期）のｎ倍（ｎは整数）にしても、同様の効果を得ることができる。
【図面の簡単な説明】
【００３８】
【図１】本発明を適用したデジタルカメラの概略的構成の一例を示すブロック図である。
【図２】電源装置及びシステムクロック信号生成回路の構成を示すブロック図である。
【図３】一回目の撮影を行うときのタイミングチャートである。
【図４】二回目以降の撮影を行うときのタイミングチャートである。
【図５】動画撮影時のタイミングチャートである。
【図６】ＤＣ／ＤＣコンバータの構成の一例を示すブロック図である。
【図７】本実施形態におけるシステムクロック、消費電流、及び出力電圧の関係を示すグラフである。
【図８】従来構成におけるシステムクロック、消費電流、及び出力電圧の関係を示すグラフである。
【符号の説明】
【００３９】
２  デジタルカメラ
３  電源装置
４  撮影機構
５  ＣＰＵ
５３  電流検出回路
５５  電源電池
５６  ＤＣ／ＤＣコンバータ
【図１】
2006197322.tif 000004
【図２】
2006197322.tif 000005
【図３】
2006197322.tif 000006
【図４】
2006197322.tif 000007
【図５】
2006197322.tif 000008
【図６】
2006197322.tif 000009
【図７】
2006197322.tif 000010
【図８】
2006197322.tif 000011